(57)【要約】【課題】ごみの排出量を削減することができるとともに、ロールを運搬及び保管する際に該ロールの端面を簡単に保護することができる保護部材を備えた、保護部材付きロールを提供する。【解決手段】中空管１１の外周面側にシート状体１２が巻回されてなるロール１０と、該ロールの端面を保護する保護部材２０と、を備え、該保護部材は、ロールの端面に接する平板部２１と、該平板部からロール側に立設して中空管の中空部１１ａに差し込まれる支持部２２とを有し、支持部は、第一折り目２６、２６を介して平板部に連続しているとともに、第一折り目でロール側に折り曲げられた支持片２３、２３によって構成されている、保護部材付きロール１とする。【選択図】図１
2011121603.tif 000002
【特許請求の範囲】
【請求項１】
中空管の外周面側にシート状体が巻回されてなるロールと、前記ロールの端面を保護する保護部材と、を備え、
前記保護部材は、前記ロールの端面に接する平板部と、該平板部から前記ロール側に立設して前記中空管の中空部に差し込まれる支持部とを有し、
前記支持部は、第一折り目を介して前記平板部に連続しているとともに、前記第一折り目で前記ロール側に折り曲げられた支持片によって構成されている、保護部材付きロール。
【請求項２】
前記支持片が、前記平板部の略中央において、前記平板部の略中心を中心として対称に一対設けられており、
前記第一折り目において、一対の前記支持片が互いに近付く方向に折り曲げられており、
一対の前記支持片は、それぞれ中央片と該中央片の両側に備えられる端片を有しており、
前記端片は、前記平板部から分離しているとともに、前記第一折り目に対して略垂直な方向の第二折り目を介して前記中央片と連続しており、
一対の前記支持片のうち一方の前記支持片の前記端片と他方の前記支持片の前記端片とが互いに離れるように、前記第二折り目で折り曲げられている、請求項１に記載の保護部材付きロール。
【発明の詳細な説明】
【技術分野】
【０００１】
本発明は、フィルムなどの帯状の部材が中空軸に巻回されたロールと該ロールの端面を保護するための保護部材とを備えた保護部材付きロールに関するものである。
【背景技術】
【０００２】
紙やフィルムなどの薄い帯状の部材は、中空軸に巻回したロールとして運搬及び保管されることが多い。このようなロールを運搬及び保管する際、従来は図６に示すような、ロールの端面（中心軸に垂直な方向の面）を保護する部材を用いていた。図６（ａ）は、従来の保護部材付きロールの中心軸に平行な方向の断面を概略的に示す図である。図６（ｂ）は従来の保護部材付きロールを図６（ａ）に示した矢印ｂの方向から見た概略図である。図６に示すように、従来はロール５０を運搬及び保管する際、ロール５０の端面の保護などを目的として、該端面を紙製や金属製のパット５１、５１で覆い、さらにパット５１、５１をワッシャ５２、５２でロール５０に固定する方法が採られていた。このような従来の方法でロールを運搬及び保管した場合、該ロールを使用する際にはパット５１、５１とワッシャ５２、５２は不要になるため、それらはごみとして廃棄されていた。
【０００３】
しかしながら、昨今の環境問題への関心の高まりなどから、ごみの排出量削減が望まれている。かかる問題を解決し得る技術として、例えば、特許文献１には、開口平面正方形状で角筒状の本体と、幅が被収容物の内径とほぼ等しい係止片を有する本体の両端部にそれぞれ対向して設けられた外フラップと、幅が被収容物の内径とほぼ等しく、係止片が嵌入される嵌合溝を形成するスリットを有する嵌合片を備えた本体の両端部にそれぞれ対向して設けられた内フラップとにより構成され、梱包時に各係止片及び嵌合片を組み立てることにより、被収容物の保持部が形成される梱包箱に関する技術が開示されている。
【先行技術文献】
【特許文献】
【０００４】
【特許文献１】特開２０００−１０９０５２号公報
【発明の概要】
【発明が解決しようとする課題】
【０００５】
上記特許文献１に開示されている技術では、梱包箱の構造が複雑であり、梱包箱の作製工程が煩雑であった。また、ロールを梱包箱で梱包せずに、フィルムで包んで運搬及び保管する場合もあり、このような場合は、梱包箱を必須とする上記特許文献１のような技術を用いることはできなかった。
【０００６】
そこで、本発明は、ごみの排出量を削減することができるとともに、ロールを運搬及び保管する際に該ロールの端面を簡単に保護することができる保護部材を備えた、保護部材付きロールを提供する。
【課題を解決するための手段】
【０００７】
以下、本発明について説明する。なお、本発明の理解を容易にするために添付図面の参照符号を括弧書きにて付記するが、それにより本発明が図面の形態に限定されるものではない。
【０００８】
本発明は、中空管（１１）の外周面側にシート状体（１２）が巻回されてなるロール（１０）と、該ロールの端面を保護する保護部材（２０）と、を備え、該保護部材は、ロールの端面に接する平板部（２１）と、該平板部からロール側に立設して中空管の中空部（１１ａ）に差し込まれる支持部（２２）とを有し、支持部は、第一折り目（２６、２６）を介して平板部に連続しているとともに、第一折り目でロール側に折り曲げられた支持片（２３、２３）によって構成されている、保護部材付きロール（１）である。
【０００９】
本発明において「ロールの端面」とは、ロールの中心軸に垂直な方向の面を意味する。すなわち、中空管に巻回されたシート状体の幅方向の端によって構成される面を意味する。また、「ロールの端面に接する」とは、ロールの端面に直接接する場合のほか、ロールをフィルムなどで包む場合は、該フィルムを介してロールの端面に接する場合も含む概念である。
【００１０】
本発明の保護部材付きロール（１）において、支持片（２３、２３）が、平板部（２１）の略中央において、平板部の略中心を中心として対称に一対設けられており、第一折り目（２６）において、一対の支持片が互いに近付く方向に折り曲げられており、一対の支持片は、それぞれ中央片（２４）と該中央片の両側に備えられる端片（２５、２５）を有しており、該端片は、平板部から分離しているとともに、第一折り目に対して略垂直な方向の第二折り目（２７、２７）を介して中央片と連続しており、一対の支持片のうち一方の支持片の端片と他方の支持片の端片とが互いに離れるように、第二折り目で折り曲げられていることが好ましい。かかる形態とすることによって、中空管の内周面と支持部との間で働く摩擦力を容易に高めることができ、保護部材をロールに固定し易くなる。
【発明の効果】
【００１１】
本発明によれば、ごみの排出量を削減することができるとともに、ロールを運搬及び保管する際に該ロールの端面を簡単に保護することができる保護部材を備えた、保護部材付きロールを得ることができる。
【図面の簡単な説明】
【００１２】
【図１】本発明の保護部材付きロールの一例について概略的に示す図である。
【図２】図１に示した保護部材付きロールを図１に示した矢印ＩＩの方向から見た概略図である。
【図３】図１に示したＩＩＩ−ＩＩＩにおける断面を概略的に示す図である。
【図４】支持部の形成過程を概略的に示す斜視図である。
【図５】支持部のその他の例を概略的に示す図である。
【図６】従来の保護部材付きロールの一例について概略的に示す図である。
【発明を実施するための形態】
【００１３】
以下、図面を参照しつつ、本発明の実施の形態を挙げて詳細に説明する。
【００１４】
図１は、本発明の保護部材付きロール１の一例について概略的に示す図である。図１において、紙面上下方向がロール１の中心軸方向である。図２は、図１に示した保護部材付きロールを図１に示した矢印ＩＩの方向から見た概略図である。図３は、図１に示したＩＩＩ−ＩＩＩにおける断面を概略的に示す図である。図２及び図３において、紙面奥／手前方向がロール１の中心軸方向である。
【００１５】
図１に示すように、保護部材付きロール１は、ロール１０とロール１０の端面を保護する保護部材２０、２０とを備えている。
【００１６】
ロール１０は、図２及び図３に示すように、中空部１１ａを有する中空管１１と、該中空管１１の外周面側に巻回されたシート状体１２とを備えている。中空管１１は中空の紙管あるいはプラスチック管である。また、シート状体１２は所定の幅を持った長尺のフィルム、又はシート状の部材であり、例えば、食品包装用材料（例えば食品包装用紙、包装用フィルム、シート、布等）や衛生材料（例えば医療用フィルム、織布、不織布、サニタリー用フィルム等）などである。
【００１７】
保護部材２０は、ロール１０の端面に接する平板部２１（図１、図２参照。）と、平板部２１からロール１０側に立設して中空管１１の中空部１１ａに差し込まれる支持部２２（図２、図３参照。）とを有している。かかる形態とすることによって、平板部２１でロール１０の端面を保護するとともに、中空部１１ａの内周面と支持部２２との間で働く摩擦力によって保護部材２０をロール１０に固定することができる。
【００１８】
支持部２２は、平板部２１の略中央において、平板部２１の中心線に対して略対称に設けられた一対の支持片２３、２３をロール１０側に折り曲げることで構成されている。以下、図４を参照しつつ支持部２２の構成についてより詳細に説明する。図４は、支持部２２の形成過程を概略的に示す斜視図である。図４において破線は折り線を意味する。
【００１９】
図４（ａ）に示すように、支持部２２を形成する前は、一対の支持片２３、２３は平板部２１と同一面内に構成されている。すなわち、保護部材２０は１枚の板状体から切り出すことによって容易に作製することができる。また、保護部材２０は作製時に必要とされる加工が少ない。保護部材２０として用いることができる素材は特に限定されず、段ボールや合成樹脂などを例示することができる。ただし、製造費低減などの観点からは段ボールが好ましい。
【００２０】
図４（ａ）に示すように、支持片２３、２３は、第一折り目２６、２６を介して平板部２１に連続している。支持片２３の構成をより詳細に説明すると、１つの支持片２３が、中央片２４と中央片２４の両側に備えられる端片２５、２５を有している。また、中央片２４、及び端片２５、２５は、第二折り目２７、２７を介して一方向に連続して備えられる。さらに、中央片２４が第一折り目２６を介して平板部２１に連続しており、第一折り目２６でロール１０側に折り曲げることができる。このとき、一対の支持片２３、２３は互いに近付く方向に折り曲げられる。端片２５、２５は、平板部２１から分離しているとともに、第一折り目２６に対して略垂直な方向の第二折り目２７、２７で折り曲げることができる。
【００２１】
支持部２２の形成を形成する際には、図４（ｂ）に示すように、まず、支持片２３、２３（中央片２４、２４）を第一折り目２６でロール１０側となる側に折り曲げる。その後、図４（ｃ）に示すように、一方の支持片２３の端片２５、２５と他方の支持片２３の端片２５、２５とが離れる方向に、端片２５、２５、２５、２５を第二折り目２７、２７、２７、２７で折り曲げる。このようにして、支持部２２を形成することができる。
【００２２】
保護部材２０、２０をロール１０に取り付ける方法は特に限定されない。例えば、まず、ロール１０の両端面が上下になるようにロール１０を置き、上側の端面側から中空部１１ａに保護部材２０の支持部２２を挿入する。その後、ロール１０の上下を逆さにして、他方の端面側からも中空部１１ａに保護部材２０の支持部２２を挿入することによって、保護部材２０、２０をロール１０に取り付けることができる。なお、ロール１０をフィルムで包んで運搬・保管する場合は、保護部材２０、２０を取り付ける前にロール１０をフィルムで包むことが好ましい。係る形態とすることによって、ロール１０を包むフィルムを保護部材２０、２０でロール１０に固定することができる。また、ロール１０を梱包箱に入れて運搬・保管する場合は、上記のようにして一方の保護部材２０をロール１０に取り付けた後に梱包箱を被せ、該梱包箱とともにロール１０を逆さにして他方の保護部材２０を取り付けることが好ましい。
【００２３】
これまでの本発明の説明では、図３によく表れているように、断面形状が略三角形になる一対の支持片によって構成される支持部を例示したが、本発明はかかる形態に限定されない。支持部は、平板部に連続して設けられた支持片によって構成されており、中空管の中空部の内周面側に接する形態であれば良い。支持部のその他の例を図５に示す。図５（ａ）〜（ｃ）は保護部材付きロールの断面を概略的に示しており、図３に対応する図である。図５において、図３と同様の構成のものには同符号を付している。
【００２４】
図５（ａ）は、支持部１２２が、断面形状が略コの字形である支持片１２３、１２３によって構成される形態を例示している。また、図５（ｂ）は、支持部２２２が、断面形状がより複雑に折れ曲がった形状である支持片２２３、２２３によって構成される形態を例示している。さらに、図５（ｃ）は、支持部３２２が、中空部１１ａの内周面に沿う形状形態である支持片３２３、３２３によって構成される形態を例示している。なお、支持片の数は特に限定されない。
【００２５】
これまでに説明したように、本発明に係る保護部材は、一つの部材から容易に作製することができる。また、本発明に係る保護部材は、該保護部材のみで従来のパット及びワッシャの機能を果たす。したがって、ロールを運搬及び保管する際に必要となる部品点数を削減することができ、ごみの排出量を削減することができる。
【００２６】
以上、現時点において最も実践的で好ましいと思われる実施形態に関連して本発明を説明したが、本発明は、本願明細書中に開示された実施形態に限定されるものではなく、特許請求の範囲、及び明細書全体から読み取れる発明の要旨あるいは思想に反しない範囲で適宜変更可能であり、そのような変更を伴う保護部材付きロールもまた本発明の技術的範囲に包含されるものとして理解されなければならない。
【産業上の利用可能性】
【００２７】
本発明は、帯状の部材を中空軸に巻回して運搬及び保管する際に適用することができる。
【符号の説明】
【００２８】
１  保護部材付きロール
１０  ロール
１１  中空管
１１ａ  中空部
１２  シート状体
２０  保護部材
２１  平板部
２２  支持部
２３  支持片
２４  中央片
２５  端片
２６  第一折り目
２７  第二折り目
５０  ロール
５１  パット
５２  ワッシャ
【図１】
2011121603.tif 000003
【図２】
2011121603.tif 000004
【図３】
2011121603.tif 000005
【図４】
2011121603.tif 000006
【図５】
2011121603.tif 000007
【図６】
2011121603.tif 000008